(57)【要約】【課題】簡便な構造で、各種の機能装置などを覆うカバーの開操作を容易に行うことができる洋風便器装置を提供すること。【解決手段】便器本体２の後部上面に固定されたケーシング４を備えた洋風便器装置１であって、前記ケーシング４は、ケーシング本体と、このケーシング本体の上面部を覆う第１のカバー４２と、前記第１のカバー４２の先端側を上方向に持ち上げる持ち上げ手段とを有し、前記第１のカバー４２は、後端部に設けられたヒンジ部を介してケーシング本体の後方付近と接続されて、このヒンジ部を支軸とした開閉が自在であり、かつ、閉鎖状態においては、少なくとも先端部Ｙを含む外縁部Ｍの一部が隠蔽されており、前記第１のカバー４２が閉鎖状態において、前記持ち上げ手段が操作されると、隠蔽されていた前記第１のカバー４２の外縁部Ｍが露出し、その露出した部分に手指をかけることが可能である洋風便器装置１とする。【選択図】図１
2015071931.tif 000002
【特許請求の範囲】
【請求項１】
便器本体の後部上面に固定されたケーシングを備えた洋風便器装置であって、
前記ケーシングは、ケーシング本体と、このケーシング本体の上面部を覆う第１のカバーと、前記第１のカバーの先端側を上方向に持ち上げる持ち上げ手段とを有し、
前記第１のカバーは、後端部に設けられたヒンジ部を介してケーシング本体の後方付近と接続されて、このヒンジ部を支軸とした開閉が自在であり、かつ、閉鎖状態においては、少なくとも先端部を含む外縁部の一部が隠蔽されており、
前記第１のカバーが閉鎖状態において、前記持ち上げ手段が操作されると、隠蔽されていた前記第１のカバーの外縁部が露出し、その露出した外縁部に手指をかけることが可能であることを特徴とする洋風便器装置。
【請求項２】
前記第１のカバーの外縁部には、凹状に窪んだ持手部が設けられていることを特徴とする請求項１に記載の洋風便器装置。
【請求項３】
前記第１のカバーに隣接する上下動可能な可動部を有し、この可動部を下方へ押圧することで、前記持ち上げ手段が操作されることを特徴とする請求項１または２に記載の洋風便器装置。
【請求項４】
前記ケーシング付近に、人体検知センサーと、この人体検知センサーを覆う第２のカバーとを備え、前記可動部と前記第２のカバーは、前記第１のカバーを間に挟んで左右対称の位置に配設されていることを特徴とする請求項３に記載の洋風便器装置。
【請求項５】
前記ケーシング本体には、機能装置としての洗剤タンクが収納されていることを特徴とする請求項１から４のいずれか一項に記載の洋風便器装置。
【請求項６】
前記可動部および前記第２のカバーは、前記ケーシング本体と隣接しており、前記第１のカバーは、後方側に位置する幅広部と、この幅広部の中央付近から前方に向かって突出する幅小部とを有しており、
前記第１のカバーが閉鎖状態において、前記外縁部としての前記幅小部の側端部および前記幅広部の左右の前端部は、前記ケーシング本体と前記可動部との間の隙間、および、前記ケーシング本体と前記第２のカバーとの間の隙間に収納されて隠蔽されており、かつ、前記外縁部としての前記幅小部の前端部は、前記ケーシング本体と前記便蓋の後端部との間の隙間に収納されて隠蔽されており、前記可動部が下方に押圧されると、前記第１のカバーの前記幅小部の前記前端部と側端部、および、前記幅広部の左右の前端部が露出することを特徴とする請求項４に記載の洋風便器装置。 
【発明の詳細な説明】
【技術分野】
【０００１】
本発明は、洋風便器装置に関する。
【背景技術】
【０００２】
トイレにおいて、温水洗浄機能などの機能装置を備えた機能性を有する便器が使用されている。例えば、このような機能装置を備えた便器装置として、特許文献１の洋風便器装置が知られている。特許文献１の洋風便器装置は、洋風便器本体の後方に、電源スイッチ、ファミリー洗浄強さ設定ボリューム、便座温度設定ボリューム、乾燥温度設定ボリュームなどの初期設定部と、この初期設定部を覆う開閉自在なカバーとが設けられている。
【先行技術文献】
【特許文献】
【０００３】
【特許文献１】特開昭61-75140号公報
【発明の概要】
【発明が解決しようとする課題】
【０００４】
しかしながら、特許文献１には、カバーを開状態とするための具体的な構造については記載されていない。洋風便器装置に設けられるカバーは、意匠性を害することなく、簡便な構造で、容易にカバーの開操作を行うことができるものが望まれている。
【０００５】
本発明は、以上のとおりの事情に鑑みてなされたものであり、簡便な構造で、各種の機能装置などを覆うカバーの開操作を容易に行うことができる洋風便器装置を提供することを課題としている。
【課題を解決するための手段】
【０００６】
上記課題を解決するために、本発明の洋風便器装置は、便器本体の後部上面に固定されたケーシングを備えた洋風便器装置であって、前記ケーシングは、ケーシング本体と、このケーシング本体の上面部を覆う第１のカバーと、前記第１のカバーの先端側を上方向に持ち上げる持ち上げ手段とを有し、前記第１のカバーは、後端部に設けられたヒンジ部を介してケーシング本体の後方付近と接続されて、このヒンジ部を支軸とした開閉が自在であり、かつ、閉鎖状態においては、少なくとも先端部を含む外縁部の一部が隠蔽されており、前記第１のカバーが閉鎖状態において、前記持ち上げ手段が操作されると、隠蔽されていた前記第１のカバーの外縁部が露出し、その露出した外縁部に手指をかけることが可能であることを特徴としている。
【０００７】
この洋風便器装置では、前記第１のカバーの外縁部には、凹状に窪んだ持手部が設けられていることが好ましい。
【０００８】
この洋風便器装置では、前記第１のカバーに隣接する上下動可能な可動部を有し、この可動部を下方へ押圧することで、前記持ち上げ手段が操作されることがより好ましい。
【０００９】
この洋風便器装置では、前記ケーシング付近に、人体検知センサーと、この人体検知センサーを覆う第２のカバーとを備え、前記可動部と前記第２のカバーは、前記第１のカバーを間に挟んで左右対称の位置に配設されていることさらに好ましい。
【００１０】
この洋風便器装置では、前記ケーシング本体には、機能装置としての洗剤タンクが収納されていることがより好ましい。
【００１１】
この洋風便器装置では、前記可動部および前記第２のカバーは、前記ケーシング本体と隣接しており、前記第１のカバーは、後方側に位置する幅広部と、この幅広部の中央付近から前方に向かって突出する幅小部とを有しており、前記第１のカバーが閉鎖状態において、前記外縁部としての前記幅小部の側端部および前記幅広部の左右の前端部は、前記ケーシング本体と前記可動部との間の隙間、および、前記ケーシング本体と前記第２のカバーとの間の隙間に収納されて隠蔽されており、かつ、前記外縁部としての前記幅小部の前端部は、前記ケーシング本体と前記便蓋の後端部との間の隙間に収納されて隠蔽されており、前記可動部が下方に押圧されると、前記第１のカバーの前記幅小部の前記前端部と側端部、および、前記幅広部の左右の前端部が露出することが一層好ましい。
【発明の効果】
【００１２】
本発明の洋風便器装置は、簡便な構造で、各種の機能装置などを覆うカバーの開操作を容易に行うことができる。
【図面の簡単な説明】
【００１３】
【図１】本発明の洋風便器装置の一実施形態を例示した斜視図である。
【図２】本発明の洋風便器装置におけるケーシングの一実施形態を例示した要部斜視図である。
【図３】本発明の洋風便器装置における可動部を押した状態を例示した要部斜視図である。
【図４】本発明の洋風便器装置の別の実施形態を例示した要部斜視図である。
【図５】図４に例示した洋風便器装置の部分側面図である。
【図６】図４に例示した洋風便器装置の第１のカバーの先端部を例示した拡大斜視図である。
【図７】図４に例示した洋風便器装置の第１のカバーを開放した状態を例示した部分斜視図である。
【図８】図４〜７に示した洋風便器装置において、ラッチの固定が解除されて第１のカバーの先端部が上方向に持ち上げられた状態を例示した部分斜視図である。
【図９】図８に例示した洋風便器装置の部分側面図である。
【発明を実施するための形態】
【００１４】
図１は、本発明の洋風便器装置の一実施形態を例示した斜視図である。図２は、本発明の洋風便器装置におけるケーシングの一実施形態を例示した要部斜視図である。図３は、本発明の洋風便器装置における可動部を押した状態を例示した要部斜視図である。
【００１５】
洋風便器装置１は、便器本体２と、便器本体２に載置される便座（図示していない）、便蓋３、ケーシング４および可動部５を備えている。さらに、洋風便器装置１は、ケーシング４付近に、人体検知センサー６と、この人体検知センサー６を覆う第２のカバー７を備えている。
【００１６】
ケーシング４は、便器本体２の後部上面に固定されており、内部に機能装置８が収納されている。なお、本発明における「前後方向」は、利用者が便座に着座した状態から視る方向によって定義される。すなわち、洋風便器装置１を床に設置した状態の平面視を基準として、便座に着座した利用者から視て前側を前方、後側を後方とし、この前後方向に交差する左右方向を側方とする。
【００１７】
ケーシング４は、便器本体２の後部上面に固定されたケーシング本体４１と、ケーシング本体４１を覆う第１のカバー４２とを有している。
【００１８】
ケーシング本体４１は、左右方向の中央付近が前方に突出しており、その内側に機能装置８が収納されている。
【００１９】
機能装置８は、洋風便器装置１に各種機能を付加するものである。具体的には、例えば、便座・便蓋開閉装置、人体検知装置（光学式人体検知センサーなど）、便器洗浄装置、局部洗浄装置、温風乾燥装置、脱臭装置、部屋暖房装置、空気清浄装置、音楽再生装置、照明装置などを例示することができる。特に、機能装置８として、便器の洗浄水に洗剤を供給する洗剤タンク８１を備えていることが好ましく、これにより、便器の衛生状態を良好に維持することができる。
【００２０】
さらに、ケーシング本体４１の上部後端には、前後方向に切欠かれた凹部９が２か所に形成されている。
【００２１】
第１のカバー４２の形状は、ケーシング本体４１の上面部と対応している。具体的には、第１のカバー４２は、後方側に位置する幅広部４３と、この幅広部４３の中央付近から前方に向かって突出する幅小部４４とを有する略Ｔ字形状に形成されている。
【００２２】
幅広部４３には、左右に円形の開口部Ｈが形成されており、ケーシング本体４１の上面部に設けられた、リモコンからの電波を受ける受光部Ｊの位置と対応している。また、幅広部４３の左右の前端部４３aには、下方に向かって突出する爪部Ｎが形成されている。爪部Ｎは、第１のカバー４２が閉鎖状態において、ケーシング本体４１の外縁の一部を覆うことができる。
【００２３】
幅小部４４の前端部４４a（第１のカバー４２の先端部Ｙ）付近は、やや下方に向かって屈曲している。また、第１のカバー４２の外縁部Ｍを構成する幅小部４４の側端部４４bには、可動部５と隣接する付近に、厚み方向に凹状に窪んだ持手部Ｄが形成されている。また、幅小部４４の左右の外側には、略Ｌ字状に切り欠かれた切欠部Ｌが形成されている。
【００２４】
図１に例示したように、第１のカバー４２が閉鎖状態の場合、この切欠部Ｌが形成された空間に、可動部５および第２のカバー７が位置する。さらに、第１のカバー４２が閉鎖状態の場合、少なくとも外縁部Ｍの一部と底部Ｔ（ケーシング本体４１を対峙する部分）が外部に露出しないように隠蔽されている。具体的には、第１のカバー４２の外縁部Ｍを構成する幅小部４４の側端部４４b、幅広部４３の左右の前端部４３aは、ケーシング本体４１と可動部５との間の隙間４１aや、ケーシング本体４１と第２のカバー７との間の隙間４１aに収納されて隠蔽されている。このため、第１のカバー４２が閉鎖状態の場合、外縁部Ｍを構成する幅小部４４の側端部４４b、幅広部４３の左右の前端部４３aは、外部に露出していない。さらに、第１のカバー４２が閉鎖状態の場合、第１のカバー４２の外縁部Ｍを構成する幅小部４４の前端部４４a（第１のカバー４２の先端部Ｙ）は、ケーシング本体４１と便蓋３の後端部３１との間に収納されて隠蔽されており、外部に露出していない。また、第１のカバー４２が閉鎖状態の場合、第１のカバー４２の外縁部Ｍを構成する幅広部４３の左右の前端部４３aの一部分は、便蓋３の後方回動部３２との間の隙間にも収納されて隠蔽されており、外部に露出していない。このため、洋風便器装置１は、第１のカバー４２と便蓋３との間には大きな凹凸がなく、滑らかな印象を与えることができ、意匠性に優れている。なお、本発明において、「第１のカバーの外縁部が隠蔽されている状態」には、第１のカバーの外縁部が外部から視認されない状態のみならず、使用者が実際的に第１のカバーの外縁部に手指を掛けることが困難である程度に隠蔽されている状態が含まれる。
【００２５】
図２に例示したように、第１のカバー４２は、後端部付近に、裏面Ｒ側へ向かって突出する２つのヒンジ部Ｓが形成されており、このヒンジ部Ｓが、ケーシング本体４１の凹部９に収納されて支持されている。第１のカバー４２は、ヒンジ部Ｓを介してケーシング本体４１の後方部と接続されており、このヒンジ部Ｓを支軸として開閉自在とされている。
【００２６】
第１のカバー４２は、ケーシング本体４１の上面部と、内部に収納された機能装置８とを覆うことができる。
【００２７】
可動部５は、第１のカバー４２と隣接して配設されている。可動部５は、上下動が自在に構成されている。具体的には、可動部５は、人の手指で下方に押圧することで下方に押し込まれ、押圧を解放すると上方に復帰する動作が可能とされている。
【００２８】
そして、図３に例示したように、第１のカバー４２が閉鎖状態において、可動部５が下方に押圧されると、隠蔽されていた第１のカバー４２の外縁部Ｍまたは底部Ｔが露出して、その露出した部分に手指をかけることが可能となる。具体的には、例えば、第１のカバー４２の外縁部Ｍを構成する側端部４４bおよびこの側端部４４bに形成された持手部Ｄなどを露出させることができる。このため、例えば、この持手部Ｄに指を掛けて第１のカバー４２を上方に動かすことにより、第１のカバー４２の前方側を持ち上げることができる。これによって、第１のカバー４２の幅小部４４の前端部４４a、側端部４４bおよび幅広部４３の左右の前端部４３aが露出する。このため、例えば、これらの露出した部分に手指を持ち替えて保持することもでき、第１のカバー４２を容易に開くことができる。
【００２９】
洋風便器装置１は、可動部５が下方に押圧されると第１のカバー４２の前側を上方向に持ち上げる持ち上げ手段（図示していない）を備えている。このため、第１のカバー４２に手指を掛けやすくなる。持ち上げ手段は特に限定されないが、具体的には、例えば、第１のカバー４２の前方側を上方向に付勢する付勢手段（図示していない）や、第１のカバー４２が閉鎖状態を維持するロック手段（図示していない）などを含むことができる。この場合、例えば、第１のカバー４２が閉鎖状態の場合に、付勢手段によって前方側が上方向に付勢された状態で、第１のカバー４２がロック手段によってロックされる構造を例示することができる。そして、この状態において、可動部５が下方に押圧されると、持ち上げ手段としてのロック手段、付勢手段などが操作されて第１のカバー４２のロックが解除され、第１のカバー４２の前方側が付勢により上方向に持ち上がるように設計することができる。これによって、例えば、第１のカバー４２の幅小部４４の前端部４４a（第１のカバーの先端部Ｙ）、側端部４４b、幅広部４３の左右の前端部４３aが外部に露出する。
【００３０】
また、可動部５が下方に押圧されることによって第１のカバー４２の前方側が上方向に持ち上がる際、第１のカバー４２の裏面Ｒも露出するように持ち上げ手段を設計することもできる。この場合も第１のカバー４２を容易に開くことができる。
【００３１】
洋風便器装置１は、簡便な構造で、各種の機能装置８を覆う第１のカバー４２の開操作を容易に行うことができる。
【００３２】
また、第２のカバー７は、ケーシング本体４１と隣接して配設されている。可動部５と第２のカバー７は、第１のカバー４２を間に挟んで左右対称の位置に配設されている。このため、デザイン的にすっきりした印象を与えることができ、意匠性に優れている。また、第２のカバー７の内側には、人体検知センサー６が配設されている。人体検知センサー６は、公知のものであってよく、例えば、光学式の人体検知センサー６を例示することができる。また、第２のカバー７は、赤外光などが透過可能な素材で形成されており、人体検知センサー６からの光が透過するように形成されている。人体検知センサー６は、検出した検知信号に基づいて便蓋開閉装置による便蓋３の開閉などを自動制御することができる。
【００３３】
さらに、本発明の洋風便器装置の別の実施形態について説明する。
【００３４】
図４は、本発明の洋風便器装置の別の実施形態を例示した要部斜視部である。図５は、図４に例示した洋風便器装置の部分側面図である。図６は、図４に例示した洋風便器装置の第１のカバーの先端部を例示した拡大斜視図である。図７は、図４に例示した洋風便器装置の第１のカバーを開放した状態を例示した部分斜視図である。図１〜３において説明した形態と共通する部分には同一の符号を付し、以下では説明を一部省略する。
【００３５】
第１のカバー４２の形状は、ケーシング本体４１の上面部と対応しており、前方側がやや下方に屈曲した略方形状に形成されている。また、第１のカバー４２の前方付近には小円形状の透光部４２aが形成されている。
【００３６】
図６に例示したように、第１のカバー４２の外縁部Ｍとしての先端部Ｙの中央付近には、内側に向かって凹状に窪んだ持手部Ｄが設けられている。第１のカバー４２が閉状態の場合には、図４、図５に例示したように、第１のカバー４２の先端部Ｙは便蓋３との間に隠蔽されている。このため、第１のカバー４２が閉状態の場合には、持手部Ｄは外部にほとんど露出してない。このため、第１のカバー４２が閉状態の場合には、第１のカバー４２と便蓋３、ケーシング本体４１との一体的な印象を与えることができ、意匠性に優れている。
【００３７】
また、図７に例示したように、凹部９内の前方側には、中央付近に、前後方向と平行な板状の第１のリブＲ１が立設されている。第１のリブＲ１は、凹部９の底部から上端部付近まで延びている。
【００３８】
第１のカバー４２は、後端付近のヒンジ部Ｓが、前後方向と略平行な板状の２枚の側片Ｓ１を有しており、この側片Ｓ１は互いに対向している。さらに、ヒンジ部Ｓには、２枚の側片Ｓ１の間の中央付近に板状の第２のリブＲ２が前後方向と平行に配設されている。
【００３９】
そして、凹部９に設けられた第１のリブＲ１と、ヒンジ部Ｓに設けられた第２のリブＲ２は互いに近接している。そして、第１のカバー４２の回動の際には、ヒンジ部Ｓの回転に伴って、第２のリブＲ２は、側面が凹部９に設けられた第１のリブＲ１の側面と近接対峙した状態で摺動する。このため、第１のカバー４２の回動時にヒンジ部Ｓが凹部９内で左右方向に位置ずれし難く、第１のカバー４２のガタツキが抑制されてスムーズに回動させることができる。これによって、第１のカバー４２の開閉操作をより安定かつ円滑に行うことができる。
【００４０】
さらに、ケーシング本体４１の前方中央付近には、持ち上げ手段Ｐとしてのラッチ固定突起Ｐ１が配設されており、第１のカバー４２の裏面には、前方中央付近には持ち上げ手段ＰとしてのラッチＰ２が配設されている。
【００４１】
ラッチＰ２の配設位置は、ケーシング本体４１に配設されたラッチ固定突起Ｐ１の位置と対応しており、第１のカバー４２が閉状態においては、ラッチＰ２がラッチ固定突起Ｐ１に掛け留めされる。ラッチＰ２とラッチ固定突起Ｐ１の具体的な構造は特に限定されないが、例えば、閉状態の第１のカバー４２をケーシング本体４１に向かって下方に押し込むことでラッチＰ２の固定が解除されて第１のカバー４２の先端部Ｙが上方向に持ち上げられる構造が好ましい。
【００４２】
図８は、図４〜７に示した洋風便器装置において、ラッチの固定が解除されて第１のカバーの先端部が上方向に持ち上げられた状態を例示した部分斜視図である。図９は、図８に例示した洋風便器装置の部分側面図である。
【００４３】
図８、図９に例示したように、閉状態の第１のカバー４２をケーシング本体４１に向かって下方に押し込むことで（図８中の矢印Ｘ）、ラッチＰ２の固定が解除されて第１のカバー４２の先端部Ｙが上方向に持ち上げられる（図８中の矢印Ｚ）。これによって、第１のカバー４２の前方側が浮き上がって持手部Ｄを含む先端部Ｙが露出する。したがって、露出した持手部Ｄに手指を掛けて操作することで第１のカバー４２の開閉操作を容易に行うことができる。
【００４４】
このように、洋風便器装置１は、便器本体２の後部上面に固定されたケーシング４を備える。そして、ケーシング４は、ケーシング本体４１と、このケーシング本体４１の上面部を覆う第１のカバー４２と、前記第１のカバー４２の先端側を上方向に持ち上げる持ち上げ手段とを有している。また、この第１のカバー４２は、後端部に設けられたヒンジ部Ｓを介してケーシング本体４１の後方部と接続されており、かつ、このヒンジ部Ｓを支軸とした開閉が自在であり、かつ、閉鎖状態においては、少なくとも先端部Ｙを含む外縁部Ｍの一部が隠蔽されている。そして、第１のカバー４２が閉鎖状態において、持ち上げ手段が操作されると、隠蔽されていた第１のカバー４２の外縁部Ｍが露出し、その露出した外縁部Ｍに手指をかけることが可能である。このため、簡便な構造で、各種の機能装置８を覆う第１のカバー４２の開操作を容易に行うことができる。
【００４５】
本発明の洋風便器装置は、以上の形態に限定されることはない。例えば、ケーシング本体の外形や第１のカバーの外形などは、適宜設計することができる。また、第１のカバーの前方側が上方向に持ち上がる構造は具体的に限定されない。さらに、可動部の配設位置も適宜設計することができる。第１のカバーの持手部の配設位置も特に限定されず、第１のカバーの外縁部（先端部やその周辺など）の適宜な位置に設けることができる。
【符号の説明】
【００４６】
１    洋風便器装置
２    便器本体
３    便蓋
３１  後端部
４    ケーシング
４１  ケーシング本体
４２  第１のカバー
４３  幅広部
４３a 前端部
４４  幅小部
４４a 前端部
４４b 側端部
５    可動部
６    人体検知センサー
７    第２のカバー
８    機能装置
８１  洗剤タンク
Ｄ    持手部
Ｍ    外縁部
Ｔ    底部
Ｐ    持ち上げ手段
Ｙ    第１のカバーの先端部
【図１】
2015071931.tif 000003
【図２】
2015071931.tif 000004
【図３】
2015071931.tif 000005
【図４】
2015071931.tif 000006
【図５】
2015071931.tif 000007
【図６】
2015071931.tif 000008
【図７】
2015071931.tif 000009
【図８】
2015071931.tif 000010
【図９】
2015071931.tif 000011